(57)【要約】【課題】交差点に必ず設置されている押しボタン箱にリーダライタと緊急ボタンを新たに設置することにより、通常は信号操作のために使用し、緊急時にはＩＣカードを所持する人が緊急ボタンを押した場合に限り緊急事態を外部装置に報知するようにして、いたずらによる誤動作を低減して緊急性の確度を高めると共に、設備のコストパフォーマンスを良くすることができる信号操作装置を提供する。【解決手段】この信号操作装置３００は、緊急信号を出力する緊急ボタン３２と、要求ボタン３４又はＩＣカードを近接したときに点灯するランプ３３と、歩行者信号灯器の青点灯開始を要求する要求ボタン３４と、リーダ又はリーダライタ１００と、緊急事態を図示しない外部装置に送信する制御回路３７と、緊急事態が発生したことを報知する回転灯３６と、を備えて構成される。【選択図】図４
2007233767.tif 000002
【特許請求の範囲】
【請求項１】
歩行者用信号灯器の青点灯開始を要求する要求ボタンを備えた信号操作装置であって、
非接触情報記録媒体のアンテナを介して、所定の変復調方式に基づく搬送電力の送信とデータの授受を非接触にて行うリーダ又はリーダライタと、緊急事態発生時に操作されることにより緊急信号を出力する緊急ボタンと、前記リーダ又はリーダライタからの情報及び前記緊急ボタンからの緊急信号に基づいて緊急事態を外部装置に送信する制御回路と、を備え、
前記制御回路は、前記リーダ又はリーダライタが前記非接触情報記録媒体に記録されたＩＤを読み取り、且つ前記緊急ボタンが押されたことを確認した場合、前記外部装置に対して前記ＩＤ及び緊急事態が発生した旨を送信することを特徴とする信号操作装置。
【請求項２】
前記制御回路は、前記緊急事態が発生したことを報知する報知手段を更に備え、前記外部装置に対して前記ＩＤ及び緊急事態が発生した旨を送信した後、該外部装置から前記ＩＤが登録されたＩＤと合致する旨の情報を受信した場合、前記報知手段を駆動することを特徴とする請求項１に記載の信号操作装置。
【請求項３】
前記制御回路は、前記リーダ又はリーダライタにより前記非接触情報記録媒体に記録されたＩＤ又は弱者ビットが読み取られた場合、前記歩行者用信号灯器の青点灯時間を所定の時間延長することを特徴とする請求項１又は２に記載の信号操作装置。
【請求項４】
前記制御回路は、前記緊急ボタンが押された場合でも、前記非接触情報記録媒体が前記リーダ又はリーダライタと交信しないときは、不正操作と判断して該操作を無効とすることを特徴とする請求項１、２又は３に記載の信号操作装置。
【請求項５】
前記制御回路は、横断開始側の前記リーダ又はリーダライタにより前記非接触情報記録媒体に記録されたＩＤが読み取られた場合、前記歩行者用信号灯器の青点灯時間を所定の時間延長し、該青点灯時間満了前に前記ＩＤを記録した非接触情報記録媒体が横断終了側の前記リーダ又はリーダライタと交信した場合、該青点灯時間の延長をその時点で終了することを特徴とする請求項１乃至４の何れか一項に記載の信号操作装置。
【請求項６】
前記非接触情報記録媒体は、電磁誘導方式若しくは電波方式により前記リーダ又はリーダライタとの間で所定の変復調方式に基づく搬送電力の送信とデータの授受を非接触にて行なうことを特徴とする請求項１乃至５の何れか一項に記載の信号操作装置。
【請求項７】
前記非接触情報記録媒体は、前記電磁誘導方式による非接触情報記録媒体と、該非接触情報記録媒体を収納自在とする収納部に形成されたコ字形状のアンテナと、制御ＩＣにより構成される電波方式の非接触情報記録媒体と、を一体構成としたことを特徴とする請求項１乃至６の何れか一項に記載の信号操作装置。
【発明の詳細な説明】
【技術分野】
【０００１】
本発明は、信号操作装置に関し、さらに詳しくは、緊急ボタンとＩＣカード用リーダライタを備えた信号操作装置に関するものである。
【背景技術】
【０００２】
近年、児童に対する犯罪或いは女性に対する痴漢、ストーカー等の犯罪が多発し、日本の安全神話が崩壊しつつある。特に、無抵抗な児童に対する犯罪を防止するために、街ぐるみで通学途中の児童を監視したり、児童に防犯ブザーを持たせて危険を察知したときに周囲に報知する等の対策がとられている。しかし、常に街ぐるみで監視するには限界があり、特に、警察に全てを任せることにも人的、予算的にも困難が伴う。
そこで、防犯に対する従来技術として特許文献１には、照明灯と、緊急呼出スイッチと、監視カメラを含む緊急警報機器と、マイク、スピーカ、カメラ、モニタ表示部を有し、双方向の通話を可能としたテレビインターホンとを備えた、複数の防犯灯ポールと、防犯灯監視制御サーバと、携帯端末器とをネットワークに接続して構成されたシステムであって、防犯灯監視制御サーバは、いずれかの防犯灯ポールを介して携帯端末器から、予めユーザ登録している識別コードを伴う警報作動要求を受けたときには、対応した防犯灯ポールの緊急警報機器を作動させるようにしたネットワーク型緊急通報システムについて開示されている。
【特許文献１】特開２００２−２８８７６４公報
【発明の開示】
【発明が解決しようとする課題】
【０００３】
しかしながら、特許文献１に開示されている従来技術は、緊急呼出スイッチを押すと無条件に緊急警報が行なわれるため、いたずらにより無駄な動作が頻繁に行なわれるといった問題がある。それを防止するために、登録された識別コードを持つ携帯端末器からの要求のみに対応するようにしているが、携帯端末器からサーバを呼び出さなければならず、緊急時に間に合わないといった虞がある。
また、防犯灯ポールに緊急警報のためだけに使用する緊急警報機器を取り付けるため、設備のコストパフォーマンスが必ずしも良いとはいえない。
【０００４】
本発明は、かかる課題に鑑み、交差点に必ず設置されている押しボタン箱にリーダライタと緊急ボタンを新たに設置することにより、通常は信号操作のために使用し、緊急時にはＩＣカードを所持する人が緊急ボタンを押した場合に限り緊急事態を外部装置に報知するようにして、いたずらによる誤動作を低減して緊急性の確度を高めると共に、設備のコストパフォーマンスを良くすることができる信号操作装置を提供することを目的とする。
また、他の目的は、横断開始から横断終了までの時間により、青信号時間の延長可否を判断して、信号動作の円滑化を図ることである。
【課題を解決するための手段】
【０００５】
本発明はかかる課題を解決するために、請求項１は、歩行者用信号灯器の青点灯開始を要求する要求ボタンを備えた信号操作装置であって、非接触情報記録媒体のアンテナを介して、所定の変復調方式に基づく搬送電力の送信とデータの授受を非接触にて行うリーダ又はリーダライタと、緊急事態発生時に操作されることにより緊急信号を出力する緊急ボタンと、前記リーダ又はリーダライタからの情報及び前記緊急ボタンからの緊急信号に基づいて緊急事態を外部装置に送信する制御回路と、を備え、前記制御回路は、前記リーダ又はリーダライタが前記非接触情報記録媒体に記録されたＩＤを読み取り、且つ前記緊急ボタンが押されたことを確認した場合、前記外部装置に対して前記ＩＤ及び緊急事態が発生した旨を送信することを特徴とする。
本発明の信号操作装置には、登録された人（基本的には交通弱者と呼ばれる視覚障害者や老齢者等及び予め登録した人）が所持する非接触ＩＣカードの情報を読みとるリーダ又はリーダライタと、非接触ＩＣカードがリーダ又はリーダライタに近接されたときのみ有効となる緊急ボタンと、緊急時に外部装置にその情報を送信する制御回路と、を要求ボタンと共に備えている。
【０００６】
請求項２は、前記制御回路は、前記緊急事態が発生したことを報知する報知手段を更に備え、前記外部装置に対して前記ＩＤ及び緊急事態が発生した旨を送信した後、該外部装置から前記ＩＤが登録されたＩＤと合致する旨の情報を受信した場合、前記報知手段を駆動することを特徴とする。
また、本発明の信号操作装置には、緊急事態が発生したことを周囲に報知して、不正者に対して威嚇するための例えば、警報ランプや警報音等の報知手段を更に備えている。この報知手段は、外部装置が登録されたＩＤによる警報であることを確認して初めて有効となる。
請求項３は、前記制御回路は、前記リーダ又はリーダライタにより前記非接触情報記録媒体に記録されたＩＤ又は弱者ビットが読み取られた場合、前記歩行者用信号灯器の青点灯時間を所定の時間延長することを特徴とする。
非接触情報記録媒体を使用する人は基本的に交通弱者である。従って、交通弱者が非接触情報記録媒体をリーダ又はリーダライタに近接した場合、横断歩道を渡るものと判断して青信号の時間を延長するものである。
【０００７】
請求項４は、前記制御回路は、前記緊急ボタンが押された場合でも、前記非接触情報記録媒体が前記リーダ又はリーダライタと交信しないときは、不正操作と判断して該操作を無効とすることを特徴とする。
いたずらによって緊急ボタンを押されることがある。もし、この動作のみで緊急事態であると送信した場合、不要な緊急事態が多発する虞がある。また、その不正者を特定することも不可能となる。そこで本発明では、緊急ボタンのみが押された場合、不正操作と判断するものである。
請求項５は、前記制御回路は、横断開始側の前記リーダ又はリーダライタにより前記非接触情報記録媒体に記録されたＩＤが読み取られた場合、前記歩行者用信号灯器の青点灯時間を所定の時間延長し、該青点灯時間満了前に前記ＩＤを記録した非接触情報記録媒体が横断終了側の前記リーダ又はリーダライタと交信した場合、該青点灯時間の延長をその時点で終了することを特徴とする。
本発明は、横断開始側のリーダ又はリーダライタにより非接触情報記録媒体に記録されたＩＤが読み取られると自動的に青信号時間が延長される。しかし、その非接触情報記録媒体を使用する横断者が青点灯時間満了前に渡り終われば、それ以降の青信号を延長する必要がない。
【０００８】
請求項６は、前記非接触情報記録媒体は、電磁誘導方式若しくは電波方式により前記リーダ又はリーダライタとの間で所定の変復調方式に基づく搬送電力の送信とデータの授受を非接触にて行なうことを特徴とする。
非接触情報記録媒体には、交信距離が数１０センチ程度の電磁誘導方式と交信距離が１〜５メートルの電波方式のものがある。従って、電磁誘導方式の非接触情報記録媒体はリーダ又はリーダライタに意識的に近接して情報を読み取らせる必要がある。また、電波方式の非接触情報記録媒体はリーダ又はリーダライタに近づくだけで交信が行なわれる。
請求項７は、前記非接触情報記録媒体は、前記電磁誘導方式による非接触情報記録媒体と、該非接触情報記録媒体を収納自在とする収納部に形成されたコ字形状のアンテナと、制御ＩＣにより構成される電波方式の非接触情報記録媒体と、を一体構成としたことを特徴とする。
２種類の非接触情報記録媒体を個別に所持すると、一方を忘れたり、或いはリーダライタに近接する場合に手間がかかる。そこで本発明では、２種類の非接触情報記録媒体を同じパスケースに収納したものである。
【発明の効果】
【０００９】
本発明によれば、信号操作装置には、登録された人が所持する非接触ＩＣカードの情報を読みとるリーダ又はリーダライタと、非接触ＩＣカードがリーダ又はリーダライタに近接されたときのみ有効となる緊急ボタンと、緊急時に外部装置にその情報を送信する制御回路と、を要求ボタンと共に備えているので、信号操作のみならず、緊急ボタンのいたずらによる誤動作を低減して緊急性の確度を高めると共に、設備のコストパフォーマンスを良くすることができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、一般的なリーダライタの構成を示すブロック図である。このリーダライタ１００は、リーダライタ１００との間でデータの授受を行ってシステム全体を制御する制御回路３７（図４参照）によって制御される。リーダライタ１００は、制御回路３７とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、アンテナ９から受信した搬送波から２値化データに変換する検波復調器８と、図示しないＩＣカードとの電力用搬送波とデータの授受をするアンテナ９とを備えて構成されている。
【００１１】
次に、本構成によるリーダライタ１００の動作を説明する前に、ＩＣカード（非接触情報記録媒体）の構成を先に説明しておく。図２は、ＩＣカードの構成を示すブロック図である。本実施形態のＩＣカード２００は、リーダライタ１００からの電力用搬送波によりデータの授受をするアンテナ２０と、書き込みコマンド読み出しコマンドを生成する送受信回路２１と、アンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＩＣカード２００の全体の動作を制御する制御回路２６から構成されている。
【００１２】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＩＣカード２００に供給する電力供給用信号と、ポーリング信号を交互に電力増幅器７から送信する。その信号は、ループアンテナ９から電磁波として外部に放射される。次に、ＩＣカード２００がリーダライタ１００に近接すると、アンテナ２０が電力供給用信号を受信し、電力生成回路２２によりその搬送波を整流して直流電力に変換して、全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してアンテナ２０から送信する。このレスポンスをリーダライタ１００がループアンテナ９で受信して、検波復調器８で２値化コードに変換し、制御回路２により解析してＩＣカード２００が規格に合致したＩＣカードであると認識する。それにより、以後リーダライタ１００とＩＣカード２００の間でポーリングが行われる。
【００１３】
図３は本発明の信号操作装置の外観構成図である。この信号操作装置３００は、緊急事態発生時に操作されることにより緊急信号を出力する緊急ボタン３２と、歩行者用信号灯器が青信号になるまで点灯するランプ３３と、歩行者信号灯器の青点灯開始を要求する要求ボタン３４と、ＩＣカード（非接触情報記録媒体）２００のアンテナを介して、所定の変復調方式に基づく搬送電力の送信とデータの授受を非接触にて行うリーダ又はリーダライタ１００と、を備えて構成される。尚、緊急ボタン３２の近傍には、児童でも判断が可能なように「助けてボタン」と表示され、ランプ３３の表示部には「おまちください」の文字が書かれている。また、要求ボタン３４は緊急ボタン３２と区別するためにタッチ式ボタンが備えられ、表面に「タッチしてください」と表示してある。また、ＩＣカード２００を近接する位置が分かるようにリーダ又はリーダライタ１００のアンテナの表面には「ＩＣカードを近づけてください」の表示がなされた近接部３５が構成されている。また、全体は堅牢なカバー３１により覆われている。また、この信号操作装置３００の内部には、リーダ又はリーダライタ１００からの情報及び緊急ボタン３２からの緊急信号に基づいて緊急事態を図示しない外部装置に送信する制御回路３７（図４参照）が備えられている。また、信号操作装置３００は各交差点の両側に夫々備えられ、信号制御機４５と連動している。
【００１４】
図４は本発明の信号操作装置の機能ブロック図である。同じ構成要素には図３と同じ参照番号を付して説明する。また、信号操作装置３００には、緊急事態が発生したことを報知する回転灯（報知手段）３６が備えられ、制御回路３７から有線により警察署３８内のサーバ（外部装置）に接続されている。また、制御回路３７は、信号灯器４６の動作と連動するために、信号制御機４５と接続されている。尚、制御回路３７は、本実施形態では信号操作装置３００内に備えられているが、信号制御機４５に含ませるように構成しても構わない。また、信号操作装置３００と警察署３８間をモバイル通信のような無線により接続しても構わない。
【００１５】
次に信号操作装置３００の概略動作について説明する。この説明では、ＩＣカード１００を所持する人が、緊急事態に遭遇した場合を想定して説明する。交通弱者又は予め登録した登録者が所持するＩＣカード２００が、近接部３５に近接されると、図１と図２で説明した手順によりリーダ又はリーダライタ１００と交信を開始し、ＩＣカード２００に記録されているＩＤを読み取る。その状態で、緊急ボタン３２が押されると、制御回路３７は緊急事態が発生したと判断して緊急信号とＩＤをケーブル３９を介して警察署３８に送信する。警察署内のサーバには予め登録したＩＤが記憶されているので、受信したＩＤが登録されているか否かを検索する。その結果、登録されているとケーブル３９を介して制御回路３７にその旨を知らせる。制御回路３７がその信号を受信すると、登録されたＩＤによる緊急事態であると判断して回転灯３６を回転して、周囲の人に報知する。尚、回転灯３６の回転と同時にブザー等により音で報知するようにしても良い。尚、ＩＣカード２００は交信距離が短い電磁誘導方式について説明したが、交信距離が長い電波方式を使用することにより、ＩＣカードの所持者が信号操作装置３００に近づいただけでＩＣカード２００を近接部３５に近接したのと同じ動作を行なうため、ＩＣカードの所持者は緊急ボタン３２を押す動作だけで緊急信号を警察署３８に送信することができる。
【００１６】
図５は交信距離が短い電磁誘導方式と交信距離が長い電波方式のＩＣカードを収納するパスケースの構成図である。この図では、例えばＩＣカード２００は電磁誘導方式により動作するものであり、そのＩＣカード２００を収納する収納部４３の周囲にコ字形状のアンテナ４１と、制御ＩＣ４２により構成される電波方式のＩＣカード４０を備える。これにより、何れの方式のリーダ又はリーダライタとの交信が可能となる。
【００１７】
図６は本発明の第１の実施形態に係る信号操作装置の動作について説明するフローチャートである。図４を参照して説明する。ステップＳ１により要求ボタン３４が押されると（Ｓ１でＹＥＳのルート）、制御回路３７は信号制御機４５に対してその信号を送信する。信号制御機４５は信号を受信すると青信号を要求する（Ｓ２）。次にＩＣカード２００とリーダライタ１００が交信を開始したか否かをチェックし（Ｓ３）、交信が開始されると（Ｓ３でＹＥＳのルート）、緊急ボタン３２が押されたか否かをチェックして（Ｓ４）、緊急ボタン３２が押されなければ（Ｓ４でＮＯのルート）、ステップＳ５に進んでＩＣカード２００に「弱者ビット」が記録されているかを判断し（Ｓ５）、「弱者ビット」がＯＮであると、制御回路３７は信号制御機４５に対して青信号延長を送信し（Ｓ６）、信号制御機４５は信号を受信すると青信号を要求する（Ｓ７）。一方、ステップＳ５で「弱者ビット」がＯＦＦであると、制御回路３７は信号制御機４５に対して青信号を要求する（Ｓ８）。
【００１８】
また、ステップＳ４で緊急ボタン３２が押されると（Ｓ４でＹＥＳのルート）、ＩＣカード２００に記録されているＩＤと共に、緊急情報がケーブル３９を介して警察署３８のシステムに送信される（Ｓ９）。警察署内のサーバには予め登録したＩＤが記憶されているので、受信したＩＤが登録されているか否かを検索する（Ｓ１０）。その結果、登録されていると（Ｓ１０でＹＥＳのルート）、ケーブル３９を介して制御回路３７にその旨を知らせる。制御回路３７がその信号を受信すると、登録されたＩＤによる緊急事態であると判断して回転灯３６を回転して（Ｓ１１）、警察官が出動し、予め登録された近所の住民に通報する（Ｓ１２）。尚、ステップＳ１０でＩＤが登録されていなければ（Ｓ１０でＮＯのルート）、そのまま終了する。
一方、ステップＳ３でＩＣカード２００と交信せず（Ｓ３でＮＯのルート）、緊急ボタン３２が押された場合（Ｓ１３でＹＥＳのルート）、いたずらと判断して操作を無効とする（Ｓ１４）。
【００１９】
図７は本発明の第２の実施形態に係る信号操作装置の動作について説明するフローチャートである。図４を参照して説明する。本ＩＣカードを所持した人がリーダ又はリーダライタ１００にＩＣカード２００を近接すると交信を開始する（Ｓ２１）。制御回路３７は信号制御機４５に信号延長の信号を送り、ステップＳ２３に進んで信号制御機４５はその信号を受信すると青信号の時間を延長する（Ｓ２３）。そしてＯＮの時間になると（Ｓ２４でＹＥＳのルート）、青信号を点灯する（Ｓ２５）。そして、青信号の時間満了前に（Ｓ２６でＮＯのルート）、横断終了側のリーダ又はリーダライタ１００が同じＩＤのＩＣカードと交信したか否かをチェックして（Ｓ２９）、ステップＳ２９でリーダ又はリーダライタ１００が同じＩＤのＩＣカードと交信すると（Ｓ２９でＹＥＳのルート）、青信号の延長時間をその時点で終了して（Ｓ３０）、ステップＳ２６に戻る。ステップＳ２６で青信号の時間が終了すると（Ｓ２６でＹＥＳのルート）青信号を点滅後、消灯する（Ｓ２７）。これにより、無駄な延長時間をカットして交通の円滑化を図ることができる。
【００２０】
以上の通り本発明によれば、信号操作装置３００には、登録された人が所持するＩＣカード２００の情報を読みとるリーダ又はリーダライタ１００と、ＩＣカード２００がリーダ又はリーダライタ１００に近接されたときのみ有効となる緊急ボタン３２と、緊急時に警察署３８にその情報を送信する制御回路３７と、を要求ボタン３４と共に備えているので、信号操作のみならず、緊急ボタン３２のいたずらによる誤動作を低減して緊急性の確度を高めると共に、設備のコストパフォーマンスを良くすることができる。
また、制御回路３７は、緊急事態が発生したことを報知する回転灯３６を更に備え、警察署３８に対して緊急事態が発生した旨及びＩＤを送信後、警察署３８からＩＤが登録されたＩＤであることを受信した場合、回転灯３６を駆動するので、登録されていないＩＤに対する不要な緊急動作を未然に防止することができる。
【００２１】
また、制御回路３７は、リーダ又はリーダライタ１００によりＩＣカード２００に記録されたＩＤが読み取られ、歩行者用信号灯器の青点灯時間を所定の時間延長するので、交通弱者に対して横断時間を長くして横断時の安全性を高めることができる。
また、制御回路３７は、ＩＣカード２００がリーダ又はリーダライタ１００と交信しないときに、緊急ボタン３２が押された場合、不正操作と判断してこの操作を無効とするので、いたずらにより緊急ボタン３２が押されても緊急動作を行なうことを防止することができる。
また、制御回路３７は、横断開始側のリーダ又はリーダライタ１００によりＩＣカード２００に記録されたＩＤが読み取られた場合、歩行者用信号灯器の青点灯時間を所定の時間延長し、この青点灯時間満了前にＩＤを記録したＩＣカード２００が横断終了側のリーダ又はリーダライタ１００と交信した場合、青点灯時間の延長をその時点で終了するので、不要な青信号の延長を短縮することができ、交通を円滑に制御することができる。
【００２２】
また、ＩＣカード２００は、電磁誘導方式若しくは電波方式によりリーダ又はリーダライタ１００との間で所定の変復調方式に基づく搬送電力の送信とデータの授受を非接触にて行なうので、交通弱者がリーダ又はリーダライタ１００にＩＣカード２００を近接するのを忘れても、青信号時間を延長して安全な横断を確保することができる。
また、ＩＣカードは、電磁誘導方式によるＩＣカード２００と、このＩＣカード２００を収納自在とする収納部４３に形成されたコ字形状のアンテナ４１と、制御ＩＣ４２により構成される電波方式のＩＣカードと、を一体構成としたので、何れの方式によるリーダライタとも交信が可能となる。
【図面の簡単な説明】
【００２３】
【図１】一般的なリーダライタの構成を示すブロック図である。
【図２】ＩＣカードの構成を示すブロック図である。
【図３】本発明の信号操作装置の外観構成図である。
【図４】本発明の信号操作装置の機能ブロック図である。
【図５】交信距離が短い電磁誘導方式と交信距離が長い電波方式のＩＣカードを収納するパスケースの構成図である。
【図６】本発明の第１の実施形態に係る信号操作装置の動作について説明するフローチャートである。
【図７】本発明の第２の実施形態に係る信号操作装置の動作について説明するフローチャートである。
【符号の説明】
【００２４】
３２  緊急ボタン、３３  ランプ、３４  要求ボタン、３５  近接部、３６  回転灯、３７  制御回路、３８  警察署、４５  信号制御機、４６  信号灯器、１００  リーダ又はリーダライタ、２００  ＩＣカード、３００  信号操作装置
【図１】
2007233767.tif 000003
【図２】
2007233767.tif 000004
【図３】
2007233767.tif 000005
【図４】
2007233767.tif 000006
【図５】
2007233767.tif 000007
【図６】
2007233767.tif 000008
【図７】
2007233767.tif 000009